(57)【要約】【課題】搬送用ベルトの各構成要素の取付けが容易であり、耐久強度や取付け精度が高く、搬送物の高い停止精度を有する蛇行防止機能を有する搬送用ベルトを提供する。【解決手段】平ベルト部５の両サイドに沿ってガイド３を配置し、ガイド３の内周面側に伸張強度の大きい歯を有するタイミングベルトを配置して、各部材同士を溶着成形によって成形一体化して搬送用ベルト１を製作する。伸張強度の大きいタイミングベルト２の歯の噛み合いによって搬送用ベルト１を駆動するので、ベルトの駆動、制動を確実に行うことができ、搬送物の停止精度が向上する。また搬送用ベルト１のガイド３に形成された傾斜部３Ｂと、コンベヤ装置４０側に設けられた押さえ４５、４６とを摺動可能に当接させたので、ガイド３が搬送用ベルト１の幅方向中央側へ移動することが規制され、搬送用ベルト１の蛇行を防止できる。【選択図】図３
0003149868.tif 000002
【実用新案登録請求の範囲】
【請求項１】
平ベルト部の両サイドに沿ってそれぞれガイドが設けられ、ベルトを駆動するコンベヤ装置に設けられた押さえと前記ガイドとが摺動可能に当接することによって前記平ベルト部の幅方向の移動が規制された搬送用ベルトにおいて、
前記平ベルト部と前記ガイドとは、溶着成形により成形一体化してなることを特徴とする搬送用ベルト。
【請求項２】
前記ガイドは、前記平ベルト部の幅方向外側に行くに従って肉厚となる傾斜部を有し、
前記傾斜部と前記押さえとが摺動可能に当接することにより、前記ガイドが前記平ベルト部の幅方向中央側へ移動することが規制される構成となっていることを特徴とする請求項１に記載の搬送用ベルト。
【請求項３】
前記ガイドまたは前記平ベルト部の内周面側に、伸張強度の大きい歯を有するタイミングベルトが配置され、前記ガイドまたは前記平ベルト部と前記タイミングベルトとが溶着成形により成形一体化してなることを特徴とする請求項１または２に記載の搬送用ベルト。
【考案の詳細な説明】
【技術分野】
【０００１】
本考案は、荷役・搬送に使用するベルトの蛇行を防止する機能を有し、ベルトの駆動・停止精度を向上させる歯を有する搬送用ベルトに関する。
【背景技術】
【０００２】
荷役・搬送に使用する搬送用ベルトは、運転時にベルトのはば走行方向に対し左右の横方向へ位置ずれして蛇行運動が発生することがある。この蛇行を矯正、あるいは振れを吸収するために、搬送用ベルトを駆動するコンベヤ装置の駆動部に溝形状の矯正部を設け、さらに搬送用ベルトの上面の側に凸形状の契合部を設け、矯正部と契合部とを契合させて搬送用ベルトを走行させることが行われている。（例えば特許文献１参照）
また搬送用ベルトの内周側に、コンベヤ側に設けられたギアと噛合う歯が直接取り付けられ、ベルトの駆動および搬送物（ベルト）の停止精度を高めることも行われている。
【０００３】
このような蛇行防止機能および搬送用ベルトの内側面に歯を有する搬送用ベルトの一例を説明する。
図４は搬送用ベルトの運転状態を示す側面図であり、図５は図４の上側の搬送ベルトの断面を示す図である。なお、図４は、搬送用ベルトの駆動部分のみを示し、蛇行防止のための機構は省略してある。
図４に示すようにループ状の搬送用ベルト３０の内周側に、コンベヤ装置４０の駆動プーリ４１および従動プーリ４２が配置されている。
図５に示すように搬送用ベルト３０は、平ベルト部３１と、平ベルト部３１の両端の全周に渡って取り付けられたガイド３５と、平ベルト部３１の両端部近傍において内周面に直接設けられた複数の歯３２とより構成されている。
【０００４】
搬送用ベルト３０に設けられた歯３２が、駆動プーリ４１および従動プーリ４２に設けられた溝と契合し、駆動プーリ４１の回転によって搬送用ベルト３０が駆動される。
なお図４において、搬送用ベルト３０の歯３２、駆動プーリ４１および従動プーリ４２の溝は一部のみ図示し、他は省略してある。
搬送用ベルト３０の歯３２を駆動プーリ４１の溝に契合させて搬送用ベルト３０を駆動することにより、駆動プーリ４１と搬送用ベルト３０の滑りが無くなり、所望の停止位置で搬送物５０を停止（搬送用ベルト３０の運転を停止）させることができる。
【０００５】
ガイド３５は、一方側が平ベルト部３１の端部を挟み込む挟持部３５Ａとなっており、他方側は平ベルト部３１から離れるに従って肉厚となる傾斜部３５Ｂとなっている。
平ベルト部３１とガイド３５とは、取付け位置３６において挟持部３５Ａと平ベルト部３１とがミシン縫いによって縫い合わされている。
【０００６】
搬送用ベルト３０の両端において、ベルト端部の上側面および下側面に向かってコンベヤ装置４０からそれぞれ押さえ４５、４６が伸びている。押さえ４５、４６の先端はガイド３５の傾斜部３５Ｂの傾斜面と摺動可能に当接している。
傾斜部３５Ｂと押さえ４５、４６とが当接していることにより、ガイド３５が搬送用ベルト３０の中心側へ向かって移動することが規制され、搬送用ベルト３０の運転時の蛇行が防止される。
【先行技術文献】
【特許文献】
【０００７】
【特許文献１】特開２００３−１２８２１９号公報
【考案の概要】
【考案が解決しようとする課題】
【０００８】
しかしながら従来のものでは、ガイド３５と搬送用ベルト３０とをミシン縫いによって取り付ける構成であるため、取付け部分の耐久強度、取付け位置精度、取付けの作業効率での更なる改善が求められている。
また、ベルトの特性により搬送用ベルト３０が伸張した場合に、平ベルト部３１の全周に取付けた歯３２の間隔寸法が影響を受け、駆動プーリ４１および従動プーリ４２側の溝との噛み合いに差異が生じ、本来の噛み合い機能が阻害される欠点がある。
【課題を解決するための手段】
【０００９】
そこで本考案は、搬送用ベルトの各構成要素の取付けが容易であり、耐久強度や取付け精度が高く、搬送物の高い停止精度を実現できる蛇行防止機能を有する搬送用ベルトを提供するものである。
そのため、蛇行を防止するためのガイドを平ベルト部の両サイドに溶着成形により成形一体化して搬送用ベルトを製作した。
また、ガイドを平ベルト部の幅方向外側に行くに従って肉厚となる傾斜部を有する構成とし、傾斜部とコンベヤ装置側の押えとを摺動可能に当接させて、ベルトの蛇行を防止した。
さらに、ガイドまたは平ベルト部の内周面側に伸張強度の大きい歯を有するタイミングベルトを配置して、双方を溶着成形により成形一体化し、歯を有する搬送用ベルトを製作した。
【考案の効果】
【００１０】
本考案によれば、ガイドを平ベルト部と溶着成形するので各部の取付けが容易であり、さらに耐久強度や取付け精度が向上し、蛇行防止機能を有するベルトコンベヤ用の搬送用ベルトを得ることができる。また、タイミングベルトも成形一体化できることにより、平ベルト部の伸張の影響を排除して搬送用ベルトの確実な駆動、制動を行うことができ、搬送物の停止精度を高めることが可能となる。
【図面の簡単な説明】
【００１１】
【図１】搬送用ベルトを示す斜視図である。
【図２】搬送用ベルトの駆動部分を示す断面図である。
【図３】搬送用ベルトを示す断面図である。
【図４】従来の搬送用ベルトの駆動部分を示す断面図である。
【図５】従来の搬送用ベルトを示す断面図である。
【考案を実施するための形態】
【００１２】
本考案を図１〜図３に示す実施例に従って説明する。
【実施例】
【００１３】
図１は、搬送用ベルトを示す斜視図、図２は、搬送用ベルトの駆動部分（タイミングベルト部分）を示す断面図、図３は、図１の上側の搬送用ベルトを示す断面図である。
なお、図１および図２において、コンベヤ装置４０の押さえ４５、４６は省略してある。
また、本実施例において、図１〜図３中におけるコンベヤ装置４０（駆動プーリ４１、従動プーリ４２、押さえ４５、４６）は、上記従来の技術として図４、５で説明したコンベヤ装置と同様の構成であるため、同一番号を付して詳細な説明を省略する。
【００１４】
載置された搬送物５０を搬送する搬送用ベルト１が、コンベヤ装置４０の駆動プーリ４１および従動プーリ４２によって駆動される。
搬送用ベルト１は、歯を有しない平である平ベルト部５と、図１にて矢印Ａで示す平ベルト部５の走行方向の両サイドにそれぞれ配置されたガイド３と、ガイド３の内周面側に配置されたタイミングベルト２とより構成される。
タイミングベルト２は、平ベルト部５よりも伸張強度が大きく、歯を内周面側に向けて配置される。
【００１５】
ガイド３は、一方側の端部がガイド３に取付けられる取付部３Ａとなっており、他方側の端部が平ベルト部５から離れるに従って肉厚となる傾斜部３Ｂとなっている。
ガイド３の傾斜部３Ｂは、コンベヤ装置４０の押さえ４５、４６と摺動可能に当接していることによって、搬送用ベルト１の幅方向中央側への移動が規制され、搬送用ベルト１の運転時の蛇行が防止される。押さえ４５、４６は、相互方向へバネ付勢されるように設計されている。
【００１６】
ガイド３の取付部３Ａの内周面に平ベルト部５とタイミングベルト２とを並べて重ね、取付部３Ａと平ベルト部５、取付部３Ａとタイミングベルト２とをそれぞれ溶着成形によって接合することにより、溶着と同時にタイミングベルト２がガイド３を介して平ベルト部５と一体化される。
このように溶着成形によって各構成要素が強固に結合されて一体化された搬送用ベルト１を得ることができる。
【００１７】
駆動プーリ４１および従動プーリ４２は、両サイドにおいて伸張強度の大きいタイミングベルト２の歯との噛み合い駆動を行い、搬送用ベルト１を駆動する。
このように伸張強度の大きいタイミングベルト２の歯との噛み合いによって搬送用ベルトを駆動するので、搬送用ベルト１の伸張の影響を排除して搬送物５０（平ベルト部５）の搬送、制動を行うことができ、ひいては搬送物の停止精度を向上させることができる。
なお、本実施例において、タイミングベルト２は搬送用ベルト１の両側に配してあるが、タイミングベルト２の本数ならびにその配置位置はこれに限定されない。例えば、搬送用ベルトの中央に設けるようにしても良い。
【符号の説明】
【００１８】
１、３０      搬送用ベルト
２      タイミングベルト
３、３５      ガイド
３Ａ      取付部
３Ｂ、３５Ｂ      傾斜部
５、３１      平ベルト部
３２      歯
４０      コンベヤ装置
４１      駆動プーリ
４２      従動プーリ
４５、４６      押さえ
【図１】
0003149868.tif 000003
【図２】
0003149868.tif 000004
【図３】
0003149868.tif 000005
【図４】
0003149868.tif 000006
【図５】
0003149868.tif 000007